(57)【特許請求の範囲】
【請求項１】
車両用内装部材と車体との間に設けられた空間に配設され、当該車両用内装部材に設けられた開口部（１００）を利用して使用される灰皿等の車両用収納装置において、前記の車両用内装部材の開口部（１００）と略同一な開口が各々設けられた複数の収納部（３，４）を有する収納体（２）を備え、収納体（２）が車両用内装部材に対して移動可能に取り付けられていると共に、収納体（２）の移動に伴って複数の収納部（２，３）の各開口の１つが車両用内装部材の開口部（１００）に対応し、収納部（３，４）の何れか１つが開口部（１００）を介して選択的に利用可能となることを特徴とする車両用収納装置。
【請求項２】
収納体（２）が前記車両用内装部材に回動可能に支持され、収納体（２）の回動に伴って複数の収納部（３，４）の各開口が車両用内装部材の開口部（１００）に対応し、収納部（３，４）の何れか１つが開口部（１００）を介して選択的に利用可能となることを特徴とする請求項１記載の車両用収納装置。
【請求項３】
前記収納部（３、４）の１つにシガーライター装置（７）と着脱可能な灰皿部材（６）が内設され、シガーライター装置（７）に装着されるライター（８）がシガーライター装置（７）内に押し込まれる際、その押し込み動作に連動してシガーライター装置（７）を固定する保持部材（１０）から突出したピン（１３）が収納体（２）を支持する車両用内装部材に設けられた支持部（１０１）の溝（１５）に当接し、収納体（２）の回動が阻止されることを特徴とする請求項２記載の車両用収納装置。
【発明の詳細な説明】
【０００１】
【発明の属する技術分野】
本発明は、灰皿や小物入れとして用いられる車両用収納装置に関するものであり、特に取り付けスペースが限られた自動車のセンターコンソール等の車両用内装部材への設置に好適な車両収納装置に関するものである。
【０００２】
【従来の技術】
車両用の灰皿や小物入れは、センターコンソール等の車両用内装部材に配設されるのが一般的であり、自動車のセンターコンソールに設置される従来の車両用収納装置の一例として、実公平４−１３９９７号公報に記載された灰皿装置が知られている。図６は実公平４−１３９９７号公報に記載された車両用灰皿装置の配置位置を示す概略図であり、車両床部Ｆの中央にセンターコンソール１が設けられ、該センターコンソール１の両側には図示されていない運転席と助手席が各々取り付けられている。センターコンソール１の立ち上がり部分１ａにはオーディオ機器やエアコンの操作装置等（図示を省略）が取り付けられており、センターコンソール１の水平部１ｂにはシフトレバーＳが配置され、また、センターコンソール１の立ち上がり部１ａと水平部１ｂの繋ぎ部分１ｃには従来の灰皿装置２００が配置されている。
【０００３】
図７は前記従来の灰皿装置２００の構成概要を示す断面図である。この従来の灰皿装置２００は、センターコンソール１の前記繋ぎ部分１ｃに穿設された開口部１００に挿嵌され、有底深筒状の灰皿ケース２００ａと、灰皿ケース２００ａの開口部を閉塞するリッド２００ｂを有している。リッド２００ｂは灰皿ケース２００ａの側面壁に回動自在に枢着しており、前記リッド２００ｂの開閉によって灰皿が使用できる状態と、センターコンソール１の内部に収まって使用できない状態が切り換えられる。
【０００４】
【発明が解決しようとする課題】
上記のような従来の灰皿装置２００においては、清掃のためにセンターコンソール１から取り外しが可能であるが、通常はセンターコンソール１の開口部１００に取り付けられているため、灰皿としての用途にしか使用できなかった。また、喫煙しない人が、灰皿装置２００をそのまま小物入れに使用したり、灰皿装置２００の代わりに適宜の小物入れを配設することも可能だが、その場合は灰皿としての用途をなさなくなり、喫煙者が乗車する場合には別に灰皿を用意しなければならないという不都合があった。また、センターコンソール１にはオーディオ機器やエアコンの操作装置等、さらにはシフトレバーＳが配設されるため、別々の灰皿や小物入れをそれぞれ配設するスペースを設けることが困難であった。
【０００５】
そこで、本発明は、センターコンソールなどの車両用内装部材の限られたスペースを有効に活用することが可能な車両用収納装置を提供することを目的とするものである。
【０００６】
【発明を解決するための手段】
上記の目的を達成するため、本発明のうち請求項１記載の発明は、車両用内装部材と車体との間に設けられた空間に配設され、当該車両用内装部材に設けられた開口部（１００）を利用して使用される灰皿等の車両用収納装置において、前記の車両用内装部材の開口部（１００）と略同一な開口が各々設けられた複数の収納部（３，４）を有する収納体（２）を備え、収納体（２）が車両用内装部材に対して移動可能に取り付けられていると共に、収納体（２）の移動に伴って複数の収納部（２，３）の各開口の１つが車両用内装部材の開口部（１００）に対応し、収納部（３，４）の何れか１つが開口部（１００）を介して選択的に利用可能となることを特徴とする。
【０００７】
このように形成すると、車両用内装部材に穿設された開口部より選択的に使用できる収納部が複数個存在することになるので、車両用内装部材の車室内に面した取付場所が限られていても、車室内空間を有効に活用することができる。
【０００８】
また、本発明のうち請求項２記載の発明は、収納体（２）が前記車両用内装部材に回動可能に支持され、収納体（２）の回動に伴って複数の収納部（３，４）の各開口が車両用内装部材の開口部（１００）に対応し、収納部（３，４）の何れか１つが開口部（１００）を介して選択的に利用可能となることを特徴とする。このように形成すると、前記車両用内装部材に設けられた支持部に前記収納体を軸支する構造であるから簡易な構造で前記収納体の移動が可能となり、コストが安い。
【０００９】
また、本発明のうち請求項３記載の発明は、前記収納部（３、４）の１つにシガーライター装置（７）と着脱可能な灰皿部材（６）が内設され、シガーライター装置（７）に装着されるライター（８）がシガーライター装置（７）内に押し込まれる際、その押し込み動作に連動してシガーライター装置（７）を固定する保持部材（１０）から突出したピン（１３）が収納体（２）を支持する車両用内装部材に設けられた支持部（１０１）の溝（１５）に当接し、収納体（２）の回動が阻止されることを特徴とする。このように形成すると、ライターに着火する際、シガーライター装置にライターを押し込む力が収納体を切換え方向へ回動させることなしにライターをシガーライター装置に押し込むことができるので、車両用内装部材に穿設された開口部と操作部の間で指を挟まれる危険がなくなり安全である。
【００１０】
【発明の実施の形態】
本発明の実施の形態について図面を参照して説明する。本発明の実施例に係る車両用収納装置は、図６に示すように上記従来の灰皿装置２００と同様、車両床部Ｆの中央に配置されたセンターコンソール１に配設されている。センターコンソール１は合成樹脂製の薄板状で、車両床部Ｆ方向および前方に開口した逆凹形をしており、車室内前部にオーディオ機器やエアコン操作装置等が配設される立ち上がり部１ａと、車両床部Ｆの中央で運転席と助手席の間に位置し車室内前方に延びた水平部１ｂと、立ち上がり部１ａと水平部１ｂとの間の繋がり部１ｃとを有している。
【００１１】
図１は本発明の実施の形態を示す分解斜視図である。本発明の実施例に係る車両用収納装置は、有底状で箱形の２つの収納部３、４および隔壁５を備えた収納体２を有し、合成樹脂等の材料を用いて一体に成形されている。一方の収納部３の下部には取り付け用の軸部３ａ，３ａが突設されており、また、センターコンソール１の開口部１００より車両床部Ｆ方向へ垂設された支持部１０１，１０１には軸穴１０１ａ，１０１ａが穿設され、収納体２を前記センターコンソール１の下方より組付けることで、前記収納体２が前記支持部１０１，１０１に軸支されている。他方の収納部４には難燃性の材料からなる有底箱状の灰皿部材６が着脱可能に嵌装されており、また、その横側には公知のシガーライター装置７が配設されている。前記一方の収納部３と他方の収納部４の間の隔壁５はセンターコンソール１の開口部１００より車室内方向に延出する操作部９が一体に設けられており、操作部の側面は前記開口部１００の周縁部に当接するようになっている。この実施例においては支持部１０１，１０１はセンターコンソール１と一体に成形されているが、センターコンソール１に別部材からなる支持部を固定し、そこに収納体２を取り付けることも可能である。
【００１２】
図２（Ａ）は、前記一方の収納部３が使用できる状態を示し、図２（Ｂ）は前記他方の収納部４の灰皿が使用可能となっている状態を示している。隔壁５に一体に成形された操作部９はセンターコンソール１の開口部１００の周縁と当接し車両用収納装置２のセンターコンソール１に対する回動を阻止することができるようになっている。開口部１００の一方の周縁部に操作部９が当接している時には収納部３が使用可能となり、また、対向する他方の周縁部に当接しているときには収納部４が使用可能となることで、収納部の切り換えできるようになっている。
【００１３】
図３は前記収納部４の断面図を示している。収納部４には着脱可能な灰皿部材６と、ライター８を挿入するシガーライター装置７を備え、灰皿部材６は図示されていないバネなどの弾性付勢手段によって収納部４に保持されている。シガーライター装置７は下方が開口した逆円筒凹形状の保持部材１０に貫設されており、前記収納部４の灰皿部材６の横側に摺動可能に内設されている。前記保持部材１０の上側蓋部は円筒側面より外側に張り出したフランジ部１１を有し、収納部４と該フランジ部１１の間には前記保持部材１０の円筒状外側面に沿うように圧縮コイルばね１２が介在している。前記保持部材１０にはピン１３が嵌入されており、該ピン１３は収納部４の側面に設けられた長円形穴１４を挿通し、センターコンソール１の支持部１０１に切りかかれた溝１５に係止するように保持部材１０より外側に延出している。
【００１４】
図４、５は本発明の実施例の側面図であり、図５は灰皿が使用可能な状態を示している。２点鎖線が示すものはライター８を着火する押圧動作をした時の図である。前記収納部４がセンターコンソール１の開口部１００より使用可能で、ライター８を着火するためにライター８をシガーライター装置７へと押し込むと、シガーライター装置７を固定している前記保持部材１０が圧縮コイルばね１２を圧縮しつつ下方へと摺動し、その動作に連動して前記保持部材１０に嵌入されている前記ピン１３も下方へと移動する。これによりセンターコンソール１の支持部１０１に設けられた前記溝１５の凹部１５ａに前記ピン１３が移動して入り込み、ライター８を押す力の回動方向への分力は溝凹部１５ａの周縁部で係止され、収納体２が誤って回動することを防止することができる。
【００１５】
また、収納体２には隔壁５の収納部４側の面と、灰皿部材６が嵌装されている収納部４のシガーライター装置７側の面で形成される角部分に公知のバルブ１６を固定する中空の略直方体部分が形成されている。該直方体部分と灰皿部材６の間、また、該直方体部分と収納部３の間にはバルブ１６から照射される光を通す窓がそれぞれ穿設されている。この構成により、１つの照明用バルブで灰皿部材６と収納部３の両空間を照明できるようになっている。
【００１６】
本発明の実施例においては、センターコンソール１に設けられた支持部１０１，１０１に収納体２を回動可能に支持する構成としたが、センターコンソール１に限らずインストルメントパネルやドアの側面等の場所にも車両用内装部材の内側の空間が利用可能であれば本発明の車両用収納装置を設置することができ、収納体２と車両用内装部材に凹凸部を設け摺動操作によって収納部を選択的に利用可能とすることもできる。また、本発明の実施の形態では一方の収納部を小物入れ、他方の収納部には灰皿部材を備えるようにしてあるが、両方の収納部を小物入れにしたりカードを収納できるカードホルダーを設置する等、種々の用途に使用することもできる。
【００１７】
【発明の効果】
以上説明したように、本発明は、車両用内装部材の車室内に面した取付場所が限られていても、複数の収納部を選択的に使用できるようにしたので、車室内空間を有効に活用することができ、また、構造が簡単でコストが安いという優れた効果がある。
【図面の簡単な説明】
【図１】本発明実施例の分解斜視図である。
【図２】本発明実施例の斜視図であり、（Ａ）は小物入れが使用できる状態、（Ｂ）は灰皿が使用できる状態を示している。
【図３】本発明実施例の灰皿収納部の断面図である。
【図４】本発明実施例の小物入れが使用できる状態の側面図である。
【図５】本発明実施例の灰皿が使用できる状態の側面図である。
【図６】従来例及び本発明実施例の配置位置を示す概略図である。
【図７】従来の車両用灰皿装置を示す断面図である。
【符号の説明】
１      センターコンソール
２      収納体
３、４  収納部
５      隔壁
６      灰皿部材
７      シガーライター装置
８      ライター
９      操作部
１０      保持部材
１２      圧縮コイルばね
１３      ピン
１６      バルブ
【図１】
0003837349.tif 000002
【図２】
0003837349.tif 000003
【図３】
0003837349.tif 000004
【図４】
0003837349.tif 000005
【図５】
0003837349.tif 000006
【図６】
0003837349.tif 000007
【図７】
0003837349.tif 000008